(57)【要約】【課題】  アルミニウムあるいはアルミニウム合金を使用した熱交換器の電食を防止し、信頼性の高い、空気調和機の室外ユニットを提供すること。【解決手段】  熱交換器１を底板２の上にアルミニウムよりも電気的に卑な金属で構成されているスペーサ３を介して配設することにより、底板２上に雨水や熱交換器の凝縮水の溜まりこみが発生した場合においても、スペーサ３とアルミニウムあるいはアルミニウム合金で構成された熱交換器１の間で局部電池形成による電食が発生することはない。一方、アルミニウムあるいはアルミニウム合金で構成された熱交換器1と底板２の間はスペーサ３により一定の間隔が確保されており、直接接触することはないため、局部電池形成による電食が発生することはなく、熱交換器１の冷媒漏れを防止し、信頼性の高い空気調和機に室外ユニットを提供することができる。【選択図】  図１
2005114273.tif 000002
【特許請求の範囲】
【請求項１】
アルミニウムまたはアルミニウム合金よりなる熱交換器を底板上に配設した空気調和機の室外ユニットにおいて、前記底板と前記熱交換器の間にアルミニウムよりも電気的に卑な金属で構成したスペーサを配置したことを特徴とする空気調和機の室外ユニット。
【請求項２】
アルミニウムまたはアルミニウム合金よりなる熱交換器を底板上に配設した空気調和機の室外ユニットにおいて、前記底板と前記熱交換器の間に非金属で構成したスペーサを配置したことを特徴とする空気調和機の室外ユニット。
【請求項３】
底板上に配設したアルミニウムまたはアルミニウム合金よりなる前記熱交換器と、前記底板上を仕切る仕切り板を備える空気調和機の室外ユニットにおいて、前記仕切り板と前記熱交換器の接合部にアルミニウムよりも電気的に卑な金属で構成したスペーサを配置したことを特徴とする空気調和機の室外ユニット。
【請求項４】
底板上に配設したアルミニウムまたはアルミニウム合金よりなる前記熱交換器と、前記底板上を仕切る仕切り板を備える空気調和機の室外ユニットにおいて、前記仕切り板と前記熱交換器の接合部に非金属で構成したスペーサを配置したことを特徴とする空気調和機の室外ユニット。
【請求項５】
底板上に配設する前記熱交換器と、室外ユニットの外郭を構成する外箱を備える空気調和機の室外ユニットにおいて、前記外箱上部に固定されたワイヤにより前記熱交換器を懸架し、前記底板と前記熱交換器が接触しない構造としたことを特徴とする空気調和機の室外ユニット。
【請求項６】
前記ワイヤを非金属で構成したことを特徴とする請求項５記載の空気調和機の室外ユニット。
【請求項７】
底板上に配設する熱交換器と、室外ユニットの外郭を構成する外箱を備える空気調和機の室外ユニットにおいて、前記外箱上部に前記熱交換器を固定懸架し、前記底板と前記熱交換器が接触しない構造としたことを特徴とする空気調和機の室外ユニット。
【請求項８】
底板上に配設する熱交換器と、室外ユニットの外郭を構成する外箱を備える空気調和機の室外ユニットにおいて、前記底板および前記熱交換器および前記外箱を同一の金属で構成したことを特徴とする空気調和機の室外ユニット。
【請求項９】
底板上に配設する前記熱交換器と、室外ユニットの外郭を構成する外箱を備える空気調和機の室外ユニットにおいて、前記底板および前記熱交換器および前記外箱をアルミニウムよりも電気的に卑な金属で構成したことを特徴とする空気調和機の室外ユニット。
【発明の詳細な説明】
【技術分野】
【０００１】
本発明は、ルームエアコン、パッケージエアコンなどの空気調和機の室外ユニットに関するものであり、特に雨水や熱交換器の凝縮水が介在する場合の異種金属接触時に、熱交換器で局部電池形成により電食が発生することの防止に関するものである。
【背景技術】
【０００２】
従来の空気調和機の冷凍サイクルを構成している熱交換器は、クロスフィンチューブ熱交換器であり、フィン材としてアルミニウムあるいはアルミニウム合金を使用し、チューブ材としては銅または銅合金を使用していることが多い。
【０００３】
ここで、図５において、クロスフィンチューブ熱交換器を搭載した室外ユニットについて説明する。図５に示す従来例の場合、熱交換器１が室外ユニットの底板２の上に配設されており、熱交換器１と底板２は直接接触する構成となっている。また、熱交換器１は底板２上を仕切る仕切り板３と直接接触する構成となっている。（例えば、特許文献１参照）
【特許文献１】特開平１１―２４８１９９号公報（第１―３頁、第１図）
【発明の開示】
【発明が解決しようとする課題】
【０００４】
しかしながら、上記従来の構成では、パラレルフロー熱交換器に代表されるような、フィンおよびチューブ材ともにアルミニウムあるいはアルミニウム合金を使用した熱交換器を空気調和機の室外ユニットに搭載する場合、熱交換器が室外ユニットの底板上に配設されており、クロスフィンチューブ熱交換器と底板は直接接触する構成となっているため、通常、防錆等の表面処理を施した鋼板で構成されている底板上に雨水や熱交換器の凝縮水が溜まりこみ、時間経過とともに底板の表面処理が劣化し、鋼板が部分的に露出する。その結果、底板の鋼板（鉄）とフィンおよびチューブ材ともにアルミニウムあるいはアルミニウム合金を使用した熱交換器の間で水が介在する場合、異種金属接触となり、鉄に対して電気的に卑なアルミニウムあるいはアルミニウム合金で構成された熱交換器が局部電池形成により電食による孔食が発生し、特にチューブの電食による冷媒漏れ等の故障が発生するという課題を有していた。
【０００５】
本発明はこのような従来の課題を解決するものであり、アルミニウムあるいはアルミニウム合金を使用した熱交換器の電食を防止し、信頼性の高い、空気調和機の室外ユニットを提供することを目的とする。
【課題を解決するための手段】
【０００６】
前記従来の課題を解決する為に、本発明は底板と熱交換器の間にアルミニウムよりも電気的に卑な金属で構成したスペーサを配置するものである。本構成によって、アルミニウムあるいはアルミニウム合金を使用した熱交換器の電食を防止し、信頼性の高い、空気調和機の室外ユニットを提供することができる。
【発明の効果】
【０００７】
以上のように、本発明は、、パラレルフロー熱交換器に代表されるような、フィンおよびチューブ材ともにアルミニウムあるいはアルミニウム合金を使用した熱交換器を空気調和機の室外ユニットに搭載する場合、鋼板（鉄）とフィンおよびチューブ材ともにアルミニウムあるいはアルミニウム合金を使用した熱交換器の間で水が介在する場合、異種金属
接触となり、鉄に対して電気的に卑なアルミニウムあるいはアルミニウム合金で構成された熱交換器が局部電池形成により電食が発生し、特にチューブの電食による孔食が発生し冷媒漏れ等の故障が発生するという課題を有していた。
【０００８】
本発明はこのような従来の課題を解決するものであり、アルミニウムあるいはアルミニウム合金を使用した熱交換器の電食を防止し、信頼性の高い、空気調和機の室外ユニットを提供することができる。
【発明を実施するための最良の形態】
【０００９】
以下本発明の実施の形態について図面を参照して説明する。
【００１０】
（実施の形態１）
図１は本発明実施の形態１における空気調和機の室外ユニットの斜視図である。図１において図５と同じ構成要素については同じ符号を用い、説明を省略する。
【００１１】
図１において、熱交換器１は底板２の上にスペーサ４を介して配設されている。このスペーサ４はアルミニウムよりも電気的に卑な金属で構成されている。
【００１２】
かかる構成によれば、底板２上に雨水や熱交換器の凝縮水の溜まりこみが発生した場合においても、スペーサ４とアルミニウムあるいはアルミニウム合金で構成された熱交換器１の間で局部電池形成による電食が発生し熱交換器１に孔食が発生することはない。一方、アルミニウムあるいはアルミニウム合金で構成された熱交換器1と底板２の間はスペーサ４により一定の間隔が確保されており、直接接触することはないため、局部電池形成による電食が発生することはなく、熱交換器１の冷媒漏れを防止し、信頼性の高い空気調和機に室外ユニットを提供することができる。
【００１３】
なお、本実施の形態においてスペーサ４をアルミニウムよりも電気的に卑な金属で構成しているが、合成樹脂等の非金属で構成しても良い。
【００１４】
（実施の形態２）
図２は本発明の実施の形態２における空気調和機の室外ユニットの斜視図である。図２において図５と同じ構成要素については同じ符号を用い、説明を省略する。
【００１５】
図２において、熱交換器１は底板２上を仕切る仕切り板３とスペーサ４を介して接合されている。このスペーサ４はアルミニウムよりも電気的に卑な金属で構成されている。
【００１６】
かかる構成によれば、仕切り板３あるいは熱交換器１上に雨水や熱交換器の凝縮水の溜まりこみが発生した場合においても、スペーサ４とアルミニウムあるいはアルミニウム合金で構成された熱交換器１の間で局部電池形成による電食が発生し、熱交換器１に孔食が発生することはない。一方、アルミニウムあるいはアルミニウム合金で構成された熱交換器１と仕切り板３の間はスペーサ４により一定の間隔が確保されており、直接接触することはないため、局部電池形成による電食が発生することはなく、熱交換器１の冷媒漏れを防止し、信頼性の高い空気調和機に室外ユニットを提供することができる。
【００１７】
なお、本実施の形態においてスペーサ４をアルミニウムよりも電気的に卑な金属で構成しているが、合成樹脂等の非金属で構成しても良い。
【００１８】
（実施の形態３）
図３は本発明の実施の形態３における空気調和機の室外ユニットの斜視図である。図３において図５と同じ構成要素については同じ符号を用い、説明を省略する。
【００１９】
図３において、熱交換器１は室外ユニットの外箱５の上部に固定されたワイヤ６により懸架され、底板２上に配設されており、アルミニウムあるいはアルミニウム合金で構成された熱交換器1と底板２の間は一定の間隔が確保されており、直接接触することはないため、局部電池形成による電食が発生することはなく、熱交換器１の冷媒漏れを防止し、信頼性の高い空気調和機に室外ユニットを提供することができる。
【００２０】
なお、本実施の形態においてワイヤ６をアルミニウムよりも電気的に卑な金属で構成、あるいは合成樹脂等の非金属で構成しても良い。
【００２１】
（実施の形態４）
図４は本発明の実施の形態４における空気調和機の室外ユニットの斜視図である。図４において図５と同じ構成要素については同じ符号を用い、説明を省略する。
【００２２】
図４において、熱交換器１は室外ユニットの外箱５の上部に固定部７により固定懸架され、底板２上に配設されており、アルミニウムあるいはアルミニウム合金で構成された熱交換器1と底板２の間は一定の間隔が確保されており、直接接触することはないため、局部電池形成による電食が発生することはなく、熱交換器１の冷媒漏れを防止し、信頼性の高い空気調和機に室外ユニットを提供することができる。
【００２３】
なお、本実施の形態において熱交換器１、底板２および外箱５を同一の金属（アルミニウムあるいはアルミニウム合金）で構成しても良いし、底板２および外箱５をアルミニウムあるいはアルミニウム合金で構成された熱交換器１よりも電気的に卑な金属で構成しても良い。
【００２４】
また、本願でいう電気的に卑な金属とは、イオン化傾向の低い金属をいう。
【図面の簡単な説明】
【００２５】
【図１】本発明の実施の形態１における空気調和機の室外ユニットの斜視図
【図２】本発明の実施の形態２における空気調和機の室外ユニットの斜視図
【図３】本発明の実施の形態３における空気調和機の室外ユニットの斜視図
【図４】本発明の実施の形態４における空気調和機の室外ユニットの斜視図
【図５】従来の空気調和機の室外ユニットの斜視図
【符号の説明】
【００２６】
１  熱交換器
２  底板
３  仕切り板
４、４ａ、４ｂ  スペーサ
５  外箱
６、６ａ、６ｂ  ワイヤ
７、７ａ、７ｂ  固定部
【図１】
2005114273.tif 000003
【図２】
2005114273.tif 000004
【図３】
2005114273.tif 000005
【図４】
2005114273.tif 000006
【図５】
2005114273.tif 000007